(57)【要約】【課題】遊技機において、簡易な構造で、外部からの異物の進入を防止する。【解決手段】本体枠２ａ、および当該本体枠２ａに開閉可能に軸支されたガラス扉３を備えた遊技機であって、本体枠２ａにおいて前方に突出して設けられ、嵌合孔２１ａが形成された第１のヒンジ部材２１と、第１のヒンジ部材２１に対応してガラス扉３に設けられ、嵌合孔２１ａに回動可能に嵌り込んで第１のヒンジ部材２１とで軸部を形成する第２のヒンジ部材２２とを有する。ガラス扉３には、当該ガラス扉３の開閉時における第１のヒンジ部材２１との干渉を回避するとともにガラス扉３が閉鎖された状態においては第１のヒンジ部材２１で塞がれる開口部３ａが形成されている。【選択図】        図７
2006230779.tif 000002
【特許請求の範囲】
【請求項１】
本体枠、および当該本体枠に開閉可能に軸支された開閉体を備えた遊技機であって、
前記本体枠の少なくとも１カ所において前方に突出して設けられ、嵌合孔が形成された第１のヒンジ部材と、
前記第１のヒンジ部材に対応して前記開閉体に設けられ、前記嵌合孔に回動可能に嵌り込んで前記第１のヒンジ部材とで軸部を形成する第２のヒンジ部材とを有し、
前記開閉体には、当該開閉体の開閉時における前記第１のヒンジ部材との干渉を回避するとともに前記開閉体が閉鎖された状態においては前記第１のヒンジ部材で塞がれる開口部が形成されている、
ことを特徴とする遊技機。
【請求項２】
前記開口部は、前記開閉体の上端から離間した位置に形成されていることを特徴とする請求項１記載の遊技機。
【請求項３】
前記第２のヒンジ部材は、前記第１のヒンジ部材の前記嵌合孔に対して、上下方向に嵌り込んでいることを特徴とする請求項１または２記載の遊技機。
【発明の詳細な説明】
【技術分野】
【０００１】
本発明は、遊技機に関し、特に本体枠とこれに開閉可能に取り付けられる開閉体の取付構造に関するものである。
【背景技術】
【０００２】
パチンコ遊技機などの遊技機においては、ガラス扉枠（ガラス扉）や球受皿（球皿ユニット）などの開閉体は、ヒンジを介して前面枠（本体枠）に開閉可能に取り付けられている。例えば、ヒンジの一方の側は前面枠に取り付けられ、当該ヒンジの他方の側は開閉体に取り付けられている。
【０００３】
この種の遊技機では、本体枠に対して開閉体を閉じた状態のときに、本体枠と開閉体との間に生じた隙間からピアノ線などの異物を差し込んで賞球を得る不正行為がなされる虞がある。
【０００４】
このような不正行為への対策として、例えば特許文献１に記載された遊技機が知られている。この遊技機は、本体枠と、この本体枠に対して開閉可能に設けられた開閉体を備えた遊技機であり、開閉体のヒンジ部側辺縁部に、開閉体を閉じたときに本体枠との間に生じる隙間を閉鎖する遮蔽部材が設けられたものである。
【０００５】
この構成によれば、本体枠と開閉体との間に生じた隙間に対して遮蔽部材が障害部をなすため、ピアノ線など外部からの異物の進入を防止することができる。
【特許文献１】特開２００３−２２０２５０号公報
【発明の開示】
【発明が解決しようとする課題】
【０００６】
しかしながら、上述した特許文献１に記載の技術では、外部からの異物の進入を防止するために遮蔽部材を別途設けなくてはならないので、その分だけコストがかかるとともに組立工数が増加してしまう。
【０００７】
そこで、本発明は、簡易な構造で、外部からの異物の進入を防止することのできる遊技機を提供することを目的とする。
【課題を解決するための手段】
【０００８】
上記課題を解決するため、請求項１に記載の本発明の遊技機は、本体枠、および当該本体枠に開閉可能に軸支された開閉体を備えた遊技機であって、前記本体枠の少なくとも１カ所において前方に突出して設けられ、嵌合孔が形成された第１のヒンジ部材と、前記第１のヒンジ部材に対応して前記開閉体に設けられ、前記嵌合孔に回動可能に嵌り込んで前記第１のヒンジ部材とで軸部を形成する第２のヒンジ部材とを有し、前記開閉体には、当該開閉体の開閉時における前記第１のヒンジ部材との干渉を回避するとともに前記開閉体が閉鎖された状態においては前記第１のヒンジ部材で塞がれる開口部が形成されていることを特徴とする。
【０００９】
これにより、本体枠に開閉体を取り付けたときには、本体枠に設けられた第１のヒンジ部材が開閉体の開口部を塞ぐようになって第１のヒンジ部材と開閉体との間には隙間が生じないので、別途遮蔽部材を設けることなく、簡易な構造で、外部からの異物の進入を防止することが可能になる。
【００１０】
請求項２に記載の本発明は、請求項１に記載の発明の構成に加えて、前記開口部は、前記開閉体の上端から離間した位置に形成されていることを特徴とする。
【００１１】
これにより、開口部を開閉体の上端に形成した場合のように、開閉体の上側にある部材との間に隙間が生じてしまうことがないので、より確実に外部からの異物の進入を防止することが可能になる。
【００１２】
請求項３に記載の本発明は、請求項１または２に記載の発明の構成に加えて、前記第２のヒンジ部材は、前記第１のヒンジ部材の前記嵌合孔に対して、上下方向に嵌り込んでいることを特徴とする。
【００１３】
これにより、第２のヒンジ部材を嵌合孔に嵌め込みやすくなり、本体枠に対する開閉体の取付作業を容易に行うことができる。
【発明の効果】
【００１４】
本発明によれば以下の効果を奏することができる。
【００１５】
すなわち、本発明によれば、第１のヒンジ部材の厚さ分だけの開口部を開閉体に形成して開閉体の開閉時における第１のヒンジ部材と開閉体との干渉を回避しているので、本体枠に開閉体を取り付けたときには、本体枠に設けられた第１のヒンジ部材が開閉体の開口部を塞ぐようになり、第１のヒンジ部材と開閉体との間には隙間が生じない。したがって、両者の間から異物を差し込む不正行為を行うことは困難になるので、別途遮蔽部材を設けることなく、簡易な構造で、外部からの異物の進入を防止することが可能になる。
【発明を実施するための最良の形態】
【００１６】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１７】
図１は本発明の一実施の形態である遊技機を示す斜視図、図２は図１に示した遊技機の正面図、図３は図１の遊技機の分解斜視図、図４は図１の遊技機の分解側面図、図５は図１の遊技機において相互に分離された状態における本体枠と開閉体との要部を示す側面図、図６は図１の遊技機において開閉体が本体枠に取り付けられた状態での要部を示す側面図、図７は本体枠に設けられた第１のヒンジ部材と開閉体に設けられた第２のヒンジ部材との関係を示す斜視図、図８は開閉体が本体枠から開閉された状態における第１のヒンジ部材と開閉体の開口部との位置関係を示す説明図である。
【００１８】
図１、図２および図３に示すように、パチンコ遊技機（遊技機）１は、遊技盤１０が装着される本体枠２ａがヒンジ２ｃを介して島設備に固定されるベース枠２ｂに回動可能に取り付けられ、これら本体枠２ａおよびベース枠２ｂで遊技機本体２が構成されている。そして、このような遊技機本体２の本体枠２ａに対して、スピーカ９ａ，９ｂ、液晶表示装置（ＬＣＤ）４０、遊技盤１０を視認可能に被うガラス扉３、上皿部４、下皿部５、ハンドル７および装飾カバー６が取り付けられるようになっている。
【００１９】
したがって、本体枠２ａは、本体枠２ａの一方端を回動支点として軸支されて当該ベース枠２ｂに開閉可能に取り付けられている。
【００２０】
ガラス扉３および上皿部４は一体化して形成されており、この一体化された開閉扉（開閉体）は、その一端が本体枠２ａに回動可能に軸支され、他端が本体枠２ａに係合するようになっている。ガラス扉３は遊技盤１０を視認可能に被うものである。なお、本体枠２ａと開閉扉との構造についての詳細は後述する。
【００２１】
上皿部４はガラス扉３の下側に位置し、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００２２】
上皿部４の下側に位置する下皿部５は、本体部２に固定されており、払い出しにより上皿４ａからオーバーフローした遊技球が貯留される下皿５ａを有している。
【００２３】
下皿部５の右側に設けられたハンドル７は、レール１１を介して遊技盤１０の遊技領域１０ａへ遊技球を打ち込む際に回動操作されるものである。すなわち、ハンドル７を回動することにより発射装置２１（図示せず）が動作し、これにより上皿４ａから発射装置に送り込まれた遊技球が遊技領域１０ａに向けて弾発的に発射される。発射された遊技球は緩やかに湾曲したレール１１に案内されて弧を描くように上昇し、遊技領域１０ａに送り込まれる。
【００２４】
このようなハンドル７の近傍には、遊技球の発射を停止させるストップボタン（図示せず）が設けられている。
【００２５】
ガラス扉３の上側に位置する装飾カバー６は本体枠２ａにはめ込まれており、装飾カバー６の左方部６ａおよび右方部６ｂは、本体部２に設けられる左右のスピーカ９ａ，９ｂにそれぞれ対応しており、スピーカ９ａ，９ｂからの音声が聞こえるような構造になっている。
【００２６】
液晶表示装置４０は、遊技機本体２内で、且つ遊技盤１０の背後に設けられており、遊技盤１０が透明である本実施の形態では遊技盤１０を通して視認可能になっている。そして、演出画像（例えば、遊技状態に対応したアニメーションやその他の報知情報など。）等を表示可能な表示領域を備えている。
【００２７】
なお、このような液晶表示装置４０にかえて、例えばプラズマディスプレイ等の表示手段を用いてもよい。
【００２８】
遊技盤１０は、図２に詳しく示すように、レール１１に包囲され、遊技球の流下が可能な遊技領域１０ａを有している。そして、その遊技領域１０ａには、多数の遊技くぎや風車などの障害物（図示せず）、一般入賞口１２、通過ゲート１３、可変入賞装置である大入賞口１５、アウト口１６、始動入賞口１４，１７などの遊技部材が配置されている。なお、一般入賞口１２、始動入賞口１４，１７および大入賞口１５では、遊技球が入賞すると、各入賞口１２，１４，１５，１７の種類に応じて設定された個数の遊技球が払い出される。また、アウト口１６は、遊技領域１０ａの流下して最終的に何れの入賞口１２，１４，１５，１７にも入賞しなかった遊技球が流入し、回収される。
【００２９】
図４に示すように、本体枠２ａには、ベース枠２ｂのヒンジ２ｃと回動可能に係合する係合部２ｄが設けられており、ヒンジ２ｃと係合部２ｄとが嵌りあうことにより、前述のように、本体枠２ａがその一方端を回動支点として軸支されて当該ベース枠２ｂに開閉可能に取り付けられる。
【００３０】
また、本体枠２ａの上部には、嵌合孔２１ａが形成された板状の第１のヒンジ部材２１が前方に突出して設けられている。そして、開閉扉を構成するガラス扉３には、このような第１のヒンジ部材２１に対応して、嵌合孔２１ａに回動可能に嵌り込んで第１のヒンジ部材２１とで軸部の一方を形成する第２のヒンジ部材２２が設けられている。
【００３１】
本体枠２ａの下部には、上方に向けて突出したピン形状の第３のヒンジ部材２３が設けられている。そして、ガラス扉３の下端には、第３のヒンジ部材２３が回動可能にはまり込んで第３のヒンジ部材２３とで軸部の他方をなす嵌合孔１３ａの形成された第４のヒンジ部材２４が設けられている。
【００３２】
なお、図４において、円で抜き出して示す第１〜第４のヒンジ部材２１〜２４は、何れも斜め下方から見上げたアングルで概略的に示している。
【００３３】
ここで、第１のヒンジ部材２１と第２のヒンジ部材２２とについて詳しく説明する。
【００３４】
第２のヒンジ部材２２は略Ｌ字形の棒状になっており、屈曲部が下方になり、屈曲部の一方側である嵌入部２２ａが上下方向に延び、その他方側である延在部２２ｂが本体枠２ａ側に向けて延びるような位置関係をとってガラス扉３に取り付けられている（図７参照）。したがって、第２のヒンジ部材２２は、その嵌入部２２ａが第１のヒンジ部材２１の嵌合孔２１ａに対して上下方向に嵌り込む。
【００３５】
図５に詳しく示すように、第１のヒンジ部材２１は本体枠２ａのガラス扉３が装着される領域の上端よりもやや下側に設けられている。
【００３６】
したがって、第２のヒンジ部材２２が第１のヒンジ部材２１にの嵌合孔２１ａにはまり込むと、ガラス扉３を開閉した際には、第１のヒンジ部材２１がガラス扉３と干渉してしまう。そこで、図示するように、ガラス扉３には、このような扉開閉時における第１のヒンジ部材２１との干渉を回避するための開口部３ａが、本体枠２ａに向けて開口して形成されている。そして、開口部３ａの幅は板状の第１のヒンジ部材２１の厚さ分だけになっている。
【００３７】
このような開口部３ａを有するガラス扉３を、第２のヒンジ部材２２を第１のヒンジ部材にはめ込み、第４のヒンジ部材２４で第３のヒンジ部材２３をはめ込んで回動可能に本体枠２ａに取り付け、ガラス扉３を閉じると、図６および図７に詳しく示すように、開口部３ａは第１のヒンジ部材２１により隙間なく塞がれる。このときの第１のヒンジ部材２１と開口部３ａとの位置関係を図８（ａ）に示す。
【００３８】
また、本体枠２ａに対するロックを解除してガラス扉３を開くと、第２のヒンジ部材２２を回動支点として回動するガラス扉３により、開口部３ａは第１のヒンジ部材２１に食い込むよう内方に移動してゆく。このときの第１のヒンジ部材２１と開口部３ａとの位置関係を図８（ｂ）に示す。
【００３９】
このように、本願のパチンコ遊技機１によれば、本体枠２ａにガラス扉３を取り付けたときには、本体枠２ａに設けられた第１のヒンジ部材２１がガラス扉３の開口部３ａを塞いで第１のヒンジ部材２１とガラス扉３との間には隙間が生じなくなる。よって、ピアノ線など外部からの不正な異物の進入を防止するための障害物として別途遮蔽部材を設けることなく、簡易な構造で、外部からの異物の進入を防止することが可能になる。これにより、遮蔽部材を設けるためのコストも不要になり、さらに遮蔽部材を本体枠２ａあるいはガラス扉３に取り付けるための組立工数も削減できる。
【００４０】
また、本実施の形態では、前述のように第１のヒンジ部材２１が本体枠２ａのガラス扉３が装着される領域の上端よりもやや下側に設けられているのに合わせて、ガラス扉３の開口部３ａは、ガラス扉３の上端から離間した位置に形成されている。
【００４１】
これにより、開口部３ａをガラス扉３の上端に形成した場合のように、ガラス扉３の上側にある部材（ここでは、装飾カバー６）との間に隙間が生じてしまうことがないので、より確実に外部からの異物の進入が防止される。但し、開口部３ａをガラス扉３の上端に切り欠くように形成し、これを第１のヒンジ部材２１が塞ぐようにしてもよい。
【００４２】
さらに、第２のヒンジ部材２２は、その嵌入部２２ａが第１のヒンジ部材２１の嵌合孔２１ａに対して上下方向に嵌り込んでいるので、ガラス扉３を本体枠２ａに装着する際に、第２のヒンジ部材２２を嵌合孔２１ａに嵌め込みやすくなる。これにより、本体枠２ａに対するガラス扉３の取付作業が容易になる。
【００４３】
なお、本実施の形態では、前方に突出したヒンジ部材として本体枠２ａの上部に位置する第１のヒンジ部材２１が設けられているが、このような第１のヒンジ部材２１は本体枠２ａの上部以外の箇所に設けられていてもよい。また、本体枠２ａに設けられた第３のヒンジ部材２３を第１のヒンジ部材２１のように前方に突出して嵌合孔の形成された板状体とし、ガラス扉３に設けられた第４のヒンジ部材２４を第２のヒンジ部材２２の形状にしてもよい。つまり、上下２カ所のヒンジ形状が、本体枠２ａの第１のヒンジ部材２１の形状とガラス扉３の第２のヒンジ部材２２の形状であってもよい。
【００４４】
また、上下２カ所のヒンジの間隔は、例えば上部から１／４の位置と下部から１／４のように、適度に詰められているのがよい。このようにすれば、ガラス扉３の開閉方向の逆側、つまり軸部側からガラス扉３をこじ開けようとしても、上下ヒンジ間の間隔を詰めた分だけ隙間が生じにくくなり、不正な開放の防止になる。
【００４５】
さらに、ガラス扉３の開口部３ａは、例えば金属のように摩耗しにくい部材で構成するのがよい。このようにすれば、ガラス扉３を開閉する際に、開口部３ａが第１のヒンジ部材２１と擦れ合って摩耗して次第に広がり、ガラス扉３が閉鎖された状態で第１のヒンジ部材２１と開口部３ａの間に隙間ができてしまうようなことがなくなり、より安定的に外部からの不正な異物の進入を防止できる。
【産業上の利用可能性】
【００４６】
以上の説明においては、本発明である遊技機をパチンコ遊技機に適用した場合が説明されているが、本発明はこれに限定されるものではなく、スロットマシン（パチスロ機）、雀球、スマートボールあるいはゲームセンターに設置された各種ゲーム機など、種々の遊技機に適用することが可能である。
【図面の簡単な説明】
【００４７】
【図１】本発明の一実施の形態である遊技機を示す斜視図である。
【図２】図１に示した遊技機の正面図である。
【図３】図１の遊技機の分解斜視図である。
【図４】図１の遊技機の分解側面図である。
【図５】図１の遊技機において相互に分離された状態における本体枠と開閉体との要部を示す側面図である。
【図６】図１の遊技機において開閉体が本体枠に取り付けられた状態での要部を示す側面図である。
【図７】本体枠に設けられた第１のヒンジ部材と開閉体に設けられた第２のヒンジ部材との関係を示す斜視図である。
【図８】開閉体が本体枠から開閉された状態における第１のヒンジ部材と開閉体の開口部との位置関係を示す説明図である。
【符号の説明】
【００４８】
１  パチンコ遊技機（遊技機）
２  本体部
３  ガラス扉
４  上皿部
４ａ  上皿
４ａ−１  球通路
５  下皿部
５ａ  下皿
６  カバー
６ａ  左方部
６ｂ  右方部
７  ハンドル
８  シャッタレバー
９ａ，９ｂ  スピーカ
１０  遊技盤
１０ａ  遊技領域
１０ｂ  打込通路
１１  レール
１２  一般入賞口
１３  通過ゲート
１４  始動入賞口
１５  大入賞口
１６  アウト口
１７  始動入賞口
２１  第１のヒンジ部材
２１ａ  嵌合孔
２２  第２のヒンジ部材
２２ａ  嵌入部
２２ｂ  延在部
２３  第３のヒンジ部材
２４  第４のヒンジ部材
【図１】
2006230779.tif 000003
【図２】
2006230779.tif 000004
【図３】
2006230779.tif 000005
【図４】
2006230779.tif 000006
【図５】
2006230779.tif 000007
【図６】
2006230779.tif 000008
【図７】
2006230779.tif 000009
【図８】
2006230779.tif 000010